(57)【要約】      （修正有）【課題】取外しが容易で収納が簡単かつ、使用者が楽にスコップを使用できるためのスコップ用の足掛けを提供する。【解決手段】スコップ用の足掛けは、使用時にスコップのポール部が嵌められる接続部２と、接続部と連結される足掛け部３とを備え、足掛け部は扁平状であり、スコップのポール部の長さ方向の中心軸Ａに直交する接続部の断面と、扁平状である足掛け部の平面が平行である。接続部と足掛け部は一体に構成され、全体が２つの部品１０、１１に半分割され、接続部には、回転軸７Ｅを有する回転ジョイント７が設けられ、この回転ジョイントと固定具８とによって２つの部品が連結されているのが好ましい。【選択図】図２
0003199095.tif 000002
【実用新案登録請求の範囲】
【請求項１】
使用時にスコップのポール部が嵌められる接続部と、
前記接続部と連結される足掛け部とを備え、
前記足掛け部は扁平状であり、使用時に想定される前記接続部に接続された前記スコップのポール部の長さ方向の中心軸に直交する前記接続部の断面と、扁平状である前記足掛け部の平面が平行であることを特徴とするスコップ用の足掛け。
【請求項２】
前記接続部は、両端が開放された筒状の形状をしている請求項１に記載のスコップ用の足掛け。
【請求項３】
前記接続部と、前記足掛け部が一体に構成され、
前記接続部と、前記足掛け部は、それぞれを半分割する前記中心軸と直交する直線に沿って分けられて、全体が２つの部品で構成され、
前記接続部には、前記中心軸と平行な回転軸を有する回転ジョイントが設けられ、前記回転ジョイントによって前記２つの部品が連結されている請求項２に記載のスコップ用の足掛け。
【請求項４】
前記接続部は、前記中心軸に直交する断面形状がＵ字状になるように形成されている請求項１に記載のスコップ用の足掛け。
【考案の詳細な説明】
【技術分野】
【０００１】
本考案は、スコップの使用時において、使用者が足で踏み込むための、着脱可能なスコップ用の足掛けに関するものである。
【背景技術】
【０００２】
従来、使用者が手による力とともに、足からも踏みつけて力を加えやすいように、スコップ等の地面などを掘るための器具に足掛けを付けるものがあった。例えば、特許文献１において、把持部が長尺に形成されて、足を掛けて力を付与する足掛け部が掬い部の近傍に設けられているスコップが開示されている。また、特許文献２において、上部にハンドルを有する筒状の支柱本体を設け、支柱本体の中途に、足掛けバーを設けた器具が開示されている。さらには一般的な形状を有するスコップの土を掘る部分である楕円の半円状の箆になっている作用部の両肩に、足掛け部を設けているものがあった。
【先行技術文献】
【特許文献】
【０００３】
【特許文献１】特開２０１２−２６２２７号公報
【特許文献２】特開平１１−１８５１３号公報
【考案の概要】
【考案が解決しようとする課題】
【０００４】
しかしながら、上述の特許文献における足掛けは、スコップから着脱可能にすることが前提でなく、使用時に足でスコップ等に力を加えやすくすることには考慮があるものの、足掛けの取外しが困難であった。足掛けの取外しができないと、使用者が使用したい時に足掛けを付けることができず、常にスコップに足掛けが付いているため、収納時や使用時に邪魔になることがあった。上述の作用部の両肩に足掛け部を設けているタイプのスコップは、収納時において足掛部が、周囲とぶつかり易い構造になっているため壊れやすく邪魔になり、不便なものであった。
【０００５】
そこで、本考案においては、取外しが容易で収納が簡単かつ、使用者が楽にスコップを使用できるためのスコップ用の足掛けを提供することを目的とする。
【課題を解決するための手段】
【０００６】
本考案のスコップ用の足掛けは、使用時にスコップのポール部が嵌められる接続部と、前記接続部と連結される足掛け部とを備え、前記足掛け部は扁平状であり、使用時に想定される前記接続部に接続された前記スコップのポール部の長さ方向の中心軸に直交する前記接続部の断面と、扁平状である前記足掛け部の平面が平行であることを特徴とする。
【０００７】
このように構成すれば、使用時において、一般的な仕様のスコップのポール部を接続部に挿入することでスコップ用の足掛けは着脱可能となり、スコップを楽に収納できる。足掛けがあることで使用者が楽にスコップを使用し、足掛け部が扁平状であるため使用者の足に負担がかからず、使用時において扁平状の平面の向きも使用者の足の裏側に丁度よく向くため、より使用者が楽にスコップを使用することが可能である。
【０００８】
また、前記接続部を、両端が開放された筒状にすると、スコップのポール部を接続部に挿入すれば、筒状の接続部をスコップのポールの周面を一周させられるため、接続部を安定的に固定できる。
【０００９】
また、前記接続部と、前記足掛け部が一体に構成され、前記接続部と、前記足掛け部は、それぞれを半分割する前記中心軸と直交する直線に沿って分けられて、全体が２つの部品で構成され、前記接続部には、前記中心軸と平行な回転軸を有する回転ジョイントが設けられ、前記回転ジョイントによって前記２つの部品が連結されている。全体が２つの部品で構成され、前記回転ジョイントによって前記２つの部品が連結されていることによって、回転ジョイントが本考案に係るスコップ用の足掛けは、回転ジョイントによって接続された２つの部品によって開閉式になり、スコップのポール部に接続部を合わせて閉じて固定すれば、容易にスコップ用の足掛けをスコップに取り付けることが可能である。また、固定を外せば容易にスコップ用の足掛けを取り外せる。さらに、製造時には、全体の部品数を少なくし、鋳型を多数作らなくて済む。従って製造工程をシンプルなものにして、コストダウンを図ることが可能である。
【００１０】
また、前記中心軸に直交する断面形状がＵ字状になるように形成されていると、使用時に接続部に圧力をかけてスコップのポール部を挟み込んで嵌めることで、スコップ用の足掛けをスコップに簡単に固定できる。
【考案の効果】
【００１１】
本考案のスコップ用の足掛けによれば、取外しが容易で収納が簡単かつ、使用者が楽にスコップを使用することができる。
【図面の簡単な説明】
【００１２】
【図１】本考案の実施形態に係るスコップ用の足掛けを示す斜視図である。
【図２】本考案の他の実施形態に係るスコップ用の足掛けを示す斜視図である。
【図３】図２の部分拡大図である。
【図４】本考案の他の実施形態に係るスコップ用の足掛けを示す斜視図である。
【図５】本考案の実施形態に係るスコップ用の足掛けの使用態様を示す説明図である。
【考案を実施するための形態】
【００１３】
以下、本考案の実施の形態について図面を用いて詳細に説明する。なお、本考案について図面を示して実施形態を詳細に説明するが、本考案は以下の実施形態に限定されるものではなく、本考案の要旨を逸脱しない範囲において任意に変更して実施できる。
【００１４】
図１において、スコップ用の足掛け１は、円筒状の接続部２と、連結部４と、連結部４によって接続部２と連結される扁平状の足掛け部３とを有する。接続部２は、図５におけるスコップ１００におけるポール部１０１との連結用として円筒状に両端が開放されて形成されている。なお、接続部２の形状としては、図５におけるポール１０１を嵌めて、固定するためにポール１０１の形状に合わせたものであればよく、例えば、三角筒状でも六角筒状でもよいし、後述する図４に記載の接続部２１のように、筒型でなくても、円筒の側面が開口されるように断面形状がＵ字状になるものでもよい。
【００１５】
図１において、中心軸Ａは、接続部２に接続された図５のスコップ１００の円柱状であるポール部１０１の長さ方向の中心軸を想定している。そして接続部２の外周側面から、円筒状の接続部２における開放された両端側を通る中心軸Ａに対して直交する直線Ｂ方向に突出するように、三角柱状の連結部４が接続部２の外周側面の外側に形成されている。また、連結部４において、その下面４Ｃが円弧状に凹み、接続部２とともに上方に凸の半円を有する上路アーチ橋の脚状に構成され、アーチ・半円を略半分程度有する構造になっている。そして、扁平状の足掛け部３が連結部４によって支持され、連結部４によって接続部２に連結されている。
【００１６】
接続部２と連結部４が上方に凸の半円を有する上路アーチ橋の脚状を構成することで、足掛け部３に加わる力を曲線凸方向の力に変換して、スコップ用の足掛け１全体で支える。また、接続部２と連結部４の接続面と、連結部４と足掛け部３との接続面の大きさは、連結部４側の接続面の面積と形状を変えることで調整することが可能である。この接続面を大きくすると、使用時における足掛け部３にかかる圧に対してさらに耐久性がよくなる。なお、連結部４の形状、突出する方向、接続部２側面から突出する位置は、上述のものに限らず、足掛け部３の位置を使用時における使用者の足の裏の位置に合わせられて、使用に耐えられる強度を保てるものならばよい。さらには、例えば、接続部２の側面上方の天辺から扁平状に直接足掛け部３を設けて、連結部４がない構成にしてもよい。また、接続部２、足掛け部３、連結部４は、一体成型にしてもよく、それぞれ別体にして、適宜の固定器具で連結する構成にしてもよい。
【００１７】
図１において、扁平状で、角を丸めた略長方形状の平面形状を有する足掛け部３は、図５のように、使用時に想定される接続部２に接続された円柱状のスコップ１００のポール部１０１の中心軸Ａに直交する接続部２の断面の向きと、足掛け部３の略長方形状の平面が平行になるように設けられている。そして、扁平状の足掛け部３の平面の向きが、図５のように、スコップ１００の把持部１０３の方向、すなわち、使用時において使用者の足の裏を向くことになる。なお、上述のものに限らず、足掛け部３の形状及び方向は適宜のものが選択できるが、使用者の足が痛みにくく、利便性の点において、図１のように構成すると好ましい。また、図１において、連結部４の上面４Ｄが、中心軸Ａに直交する接続部２の断面の向きと平行となっている。従って連結部４と、足掛け部３とが連結しやすい構造となる。
【００１８】
図１のように、足掛け部３の平面形状の上面には、ゴム素材などでできた略長方形状の滑り止め５を付けることができる。滑り止め５は、ゴム素材であると、弾力性があるため使用者の足の裏により負担がかからないため好ましい。滑り止め５の素材としては、上述のものに限らず適宜のものが選択でき、例えば、金属類の上面を削ったものであってもよい。
【００１９】
図１において、接続部２の側面には、ネジ穴（図示しない）が設けられ、そこに固定用のネジ６が貫通して備えられている。例えば、ネジ６によって図５のような使用時の状態で、スコップ１００のポール部１０１にネジ穴（図示しない）を設けて、スコップ１００と、スコップ用の足掛け１とを固定することができる。また、ポール部１０１の素材が木材などネジ６をネジ穴なしにねじ込めるものならば、ネジ穴をポール部１０１側に設けなくともよい。なお、上述に限らず、接続部４のスコップ１００への固定方法は適宜のものが選択でき、例えば、筒状の接続部４の内周側に凸部を設け、それによってポール部１０１側に圧力がかかるようにして固定してもよい。
【００２０】
接続部２、足掛け部３、連結部４を構成する素材としては、使用時の圧力に耐えられ形状を維持できるものならば、適宜のものが選択でき、例えば、強化プラスチックや金属などを用いることができる。また、図１においては、使用時に使用者が片足で踏み込む事を想定して足掛け部３は１つ形成されているが、足掛け部３と、連結部４は複数形成されていてもよい。
【００２１】
図２において、本考案に係るスコップ用の足掛け２０として他の実施例を示す。接続部２は、図１と同様の意義を持つ円筒状の接続部２を通る中心軸Ａに直交する直線Ｂに合わせ、中心軸Ａ方向に沿って、略半分割された別体の２つの部品で構成されている。足掛け部３と、連結部４も同様に、直線Ｂに沿って、中心軸Ａ方向にそれぞれを略半分割された別体の２つの部品で構成されている。さらに、直線Ｂに沿って半分に形成されている接続部２、足掛け部３、連結部４は、一体に形成されている。従ってスコップ用の足掛け２０の主要部は、全体として２つの部品で構成されている（図２において、この２つの部品の図示手前側を１０、奥側を１１とする。）。全体の部品が２つになることにより、スコップ用の足掛け２０の製造時において、全体の部品数を少なくし、鋳型を多数作らなくて済む。製造工程を簡素なものにして、コストダウンを図ることができる。なお、図１の説明において上述した接続部２の側面上方の天辺から板状に直接足掛け部３を設けるような態様の場合も同様に全体の部品を２つにすることができる。
【００２２】
図２、図３において、円筒状の接続部２には、円柱状の回転軸７Ｃが中心軸Ａと平行方向に設けられた回転ジョイント７が設けられている。また、２つの部品１０，１１は、回転ジョイント７で連結されている。円筒状の接続部２における回転ジョイント７の設けられている位置と、開閉用に分けられている２つの部品１０，１１とが接する部分の位置と直線で結ぶと、接続部２の断面形状の円が丁度２分される。回転ジョイント７の回転中心は、直線Ｂに沿った位置に形成されている。
【００２３】
使用時において、図２、図３のように接合している２つの部品１０，１１を、回転ジョイント７の回転軸７Ｅを回転中心にして観音開きし、図５におけるスコップ１００のポール部１０１に接続部２の筒状部分を当て嵌め、２つの部品１０，１１を、回転軸７Ｅを回転中心にして閉じたあと、適宜の固定用具で固定する。２つの部品１０，１１の固定方法としては、例えば図示のように、突起部４や足掛け部３に孔を設けて適宜の固定用具８で止めることができる。取り外す時は、固定用具８を取り外し、再び２つの部品１０，１１を開けばよい。このため上述の手順だけで、容易にスコップ用の足掛け２０の着脱が可能となり、図５におけるスコップ１０１側にネジ穴を作らなくて済む。また、図２、図３のように、回転ジョイント７を設けることでできる接続部２における連結部分の凸部を接続部２内周側に設けると、上述した筒状の接続部４の内周側の凸部となり、使用時においてポール１０１側に圧力をかけてスコップ用の足掛け２０を固定することができる。図２、図３で示すように回転ジョイント７は、回転軸の周面を２つの部品の一方１０の端部が覆い、２つの部品の他方１１の端部にリング状の部分を中心軸Ａ方向の天辺と底辺に当たるところに２つ設け、回転軸に嵌めるように構成されている。
【００２４】
なお、図２、図３において、連結部４を、略半分になっている接続部２の一方の側面のみに設けることで、足掛け部３と連結部４を部品１つに構成することもできる。また、２つの部品１０、１１の連結において、上述のように回転ジョイント７を用いなくとも、図示の回転ジョイント７の位置をネジなどの適宜の固定手段を設け、２つの部品１０，１１を固定するようにもできる。
【００２５】
図４において、本考案に係るスコップ用の足掛け２１として、さらに他の実施例を示す。接続部２２は、円筒の側面が開口されて、図１及び図２における中心軸Ａに直交する断面形状がＵ字状になるように形成されている。このように構成することにより、例えば、図４におけるスコップ１００のポール部１０１をＵ字状の底の部分に挟み込み、開放されているＵ字状の両端をペンチプレスなどで直線Ｂ側に圧力をかければ、ポール部１０１を嵌めてスコップ用の足掛け２１をスコップに固定することができる。なお、図４のスコップ用の足掛け２１において、接続部２２の違い以外は、図１におけるスコップ用の足掛け１の態様と同様である。また、接続部２２のようにする態様の場合、圧力をかけて素材を曲げる為、接続部２２を構成する素材は曲げることに耐えられる素材が好ましい。また、スコップ用の足掛け２１を外す時は、また、ペンチプレスで外してもよいし、例えば、Ｕ字状をした接続部２２の両端にボルトを連通させ、ナットまたはボルトを回転させることによって接続部２２の両端が開閉するような構造にしてもよい。
【００２６】
図５において、円柱状のポール部１０１と、楕円の半円状の箆になっている作用部１０２と、三角のループ状に形成され、ポール部１０１と嵌合して固定されている把持部１０３とを有する一般的な構成であるスコップ１００が示されている。円筒状の接続部２の内部に、スコップ１００のポール部１０１が挿入されて嵌められている。また、両者の固定を外せば、取り外すことができる。着脱の方法としては、例えば、把持部１０３を止めているスコップの固定具１０４を外して、ポール部１０１の上側から接続部２を挿入してもよく、図２〜図４で示した態様でもよい。
【産業上の利用可能性】
【００２７】
本考案のスコップ用の足掛けは、スコップ用に好適であり、スコップ用以外にも、穴掘り用の器具や、雪かき用の器具などにも使用できる。
【符号の説明】
【００２８】
１  スコップ用の足掛け
２  接続部
３  足掛け部
４  連結部
４Ｃ  連結部４の下面
４Ｄ  連結部４の上面
５  滑り止め
６  ネジ
７  回転ジョイント
７Ｅ  回転軸
８  固定具
１０，１１  ２つの部品
２０  スコップ用の足掛けの他の態様
２１  スコップ用の足掛けの他の態様
２２  連結部の他の態様
１００  スコップ
１０１  ポール部
１０２  作用部
１０３  把持部
１０４  スコップの固定具
Ａ  中心軸
Ｂ  中心軸Ａに直交する直線
【図１】
0003199095.tif 000003
【図２】
0003199095.tif 000004
【図３】
0003199095.tif 000005
【図４】
0003199095.tif 000006
【図５】
0003199095.tif 000007